(57)【特許請求の範囲】
【請求項１】
無線通信システムにおいて、送信局（１２）から移動受信局（１４）へ選択的にパケット・データを送信する方法であって、該移動受信局は無線インターフェース（１６）を経由してネットワーク・インフラストラクチャ（１８）に結合され、該送信局は該ネットワーク・インフラストラクチャに結合され、該無線インターフェースはショート・メッセージ・チャネルとパケット・チャネルを含み、移動受信局へパケット・データの送信を選択的に許可する方法の改良であって、
前記送信局により発信されたパケット・データを前記ネットワーク・インフラストラクチャで検出する段階と、（１６４）
前記パケット・データを発信する前記送信局の発信元を前記ネットワーク・インフラストラクチャで決定する段階と、（１６６）
ショート・メッセージ・チャネルを経由して、前記決定段階時に決定された送信局の発信元の表示を前記移動受信局に送信する段階と、（１６８）
前記移動受信局において、前記送信段階時に前記ショート・メッセージ・チャネルを経由して送信された前記送信局の発信元の表示を検出する段階と、（１７２）、
前記移動受信局で検出された前記送信局の発信元の表示に応答して、前記送信局により発信された前記パケット・データの送信を受入れるかどうかを、前記移動受信局において、選択する段階と、（１７４）
前記選択段階時に移動受信局で送信を受入れる場合、前記パケット・チャネルを経由して、前記移動受信局へ前記パケット・データを送信する段階と、（１７６）
を含むことを特徴とする方法。
【請求項２】
請求項１記載の方法において、前記送信局により発信された前記パケット・データはヘッダ部分を含み、ヘッダ部分は前記パケット・データを終点とする前記移動受信局のアドレスを含み、前記ネットワーク・インフラストラクチャは、前記移動受信局を最後に登録して位置決めする前記移動受信局のアドレスに対してインデックス付けされたデータを記憶するデータベースを含み、前記方法は、前記送信局で発信された前記パケット・データを検出する前記段階の後で、
ＧＰＭＳＣ（ゲートウェイ・パケット・データ移動交換センタ）により前記データベースに問合せして、前記移動受信局が最後に登録されて位置決めされた区域を決定する段階と、
をさらに含む、方法。
【請求項３】
請求項２記載の方法において、前記無線通信システムは少なくともＧＰＭＳＣとＶＰＭＳＣ（訪問パケット・データ移動交換センタ）とを有するセルラ通信システムを含み、前記データベースはＨＬＲ（ホーム位置登録）を含み、前記パケット・データはＧＰＭＳＣで検出され、該ＨＬＲに問合せして前記移動受信局が最後に登録された区域を決定し、前記移動受信局が前記ＶＰＭＳＣにより含まれた区域に最後に登録されたと決定された場合に、前記ＶＰＭＳＣへ前記パケット・データを転送する別の段階をさらに含む、方法。
【請求項４】
請求項３記載の方法において、前記パケット・データを転送する前に、選択したプロトコルに従って前記パケット・データをカプセル化する別の段階を含む、方法。
【請求項５】
請求項４記載の方法において、前記ＶＰＭＳＣで前記パケット・データのカプセル化を解く別の段階を含む、方法。
【請求項６】
請求項５記載の方法において、前記セルラ通信システムはＳＭＳ−Ｃ（ショート・メッセージ・サービスセンタ）をさらに含み、前記送信局の発信元の表示を送信する前記段階時に送信された前記送信局の発信元の表示が該ＳＭＳ−Ｃによりショート・メッセージとして発生される、方法。
【請求項７】
請求項６記載の方法において、前記ＳＭＳ−Ｃへ前記パケット・データを与える別の段階を含む、方法。
【請求項８】
請求項７記載の方法において、前記セルラ通信システムはＧＭＳＣ（ゲートウェイ移動交換センタ）をさらに含み、前記送信局の発信元の表示を形成する前記ショート・メッセージを該ＧＭＳＣに転送する別の段階を含む、方法。
【請求項９】
請求項８記載の方法において、前記ＧＭＳＣにより前記ＨＬＲに問合せして前記移動受信局が最後に登録されて位置決めされる区域を決定する、方法。
【請求項１０】
請求項９記載の方法において、前記セルラ通信局は前記ＧＭＳＣ以外のサービスＭＳＣ（移動交換センタ）をさらに含み、該サービスＭＳＣが前記ＧＭＳＣ以外の時に前記送信局の発信元の表示を形成する前記ショート・メッセージを前記サービスＭＳＣへ転送する別の段階を含む、方法。
【請求項１１】
請求項１記載の方法において、前記移動受信局での前記検出段階時に、前記送信局の発信元の表示を検出の前記移動受信局での検出を確認する別の段階を含む、方法。
【請求項１２】
請求項１１記載の方法において、前記移動受信局へ前記パケット・データを送信する前記段階の前に、前記移動受信局が待機状態にある場合に前記ネットワーク・インフラストラクチャにより前記移動受信局を登録する別の段階を含む、方法。
【請求項１３】
無線通信システムにおいて、送信局（１２）と移動受信局（１４）との間でパケット・データを送信することを選択的に許可する装置であって、該移動受信局は無線インターフェース（１６）を経由してネットワーク・インフラストラクチャ（１８）に結合され、該無線インターフェースはショート・メッセージ・チャネルとパケット・チャネルを含み、該送信局はパケット・データ接続により前記ネットワーク・インフラストラクチャに結合され、
前記送信局により発信された前記パケット・データを前記ネットワーク・インフラストラクチャで検出するパケット・データ検出器（４４）と、
前記パケット・データ検出器による前記パケット・データの検出に応答して動作可能な識別器にして、前記パケット・データ検出器により検出される前記パケット・データを発信する前記送信局の発信元を決定する該識別器と、
前記識別器により識別される前記送信局の発信元の表示を受信するように結合されたＳＭＳセンタ（ショート・メッセージ・サービスセンタ）にして、前記移動受信局を終点とする前記パケット・データを発信する前記送信局の発信元を識別する前記移動受信局への送信用の前記ＳＭＳメッセージを発生する前記ＳＭＳセンタ（５６）と、
前記送信局により発信された前記パケット・データと前記移動受信局による前記移動受信局宛パケットの受け入れの表示とを受信するように結合されたパケット・データ送信器にして、前記移動受信局による受入れの表示の受信に応答して前記移動受信局へ前記パケット・データを送信する該パケット・データ送信器と、
を含むことを特徴とする装置。
【請求項１４】
請求項１３記載の装置において、前記移動受信局に置かれたＳＭＳ受信器をさらに含み、そのＳＭＳ受信器は前記ＳＭＳセンタにより発生された前記ＳＭＳメッセージを検出し、前記送信局の発信元を識別する、装置。
【請求項１５】
請求項１４記載の装置において、前記ＳＭＳ受信器に結合されたセレクタをさらに含み、そのセレクタは前記ＳＭＳ受信器での前記ＳＭＳメッセージの受信に応答して、前記送信局で発信された前記パケット・データの送信を選択するかどうかの選択を許可する前記セレクタをさらに含む装置。
【請求項１６】
請求項１５記載の装置において、前記セレクタはユーザーが駆動可能な、装置。
【請求項１７】
無線通信システムにおいて、送信局（１２）から移動受信局（１４）へパケット・データを送信することを選択的に許可する該移動受信局であって、該移動受信局は無線インターフェース（１６）を経由してネットワーク・インフラストラクチャ（１８）に結合され、該無線インターフェースはショート・メッセージ・チャネルとパケット・チャネルを含み、前記送信局はパケット・データ接続により前記ネットワーク・インフラストラクチャに結合され、
前記パケット・データを発信する前記送信局を識別するＳＭＳメッセージを検出するＳＭＳ（ショート・メッセージ・サービス）受信器と、
前記ＳＭＳ受信器により受信された前記ＳＭＳメッセージの発信元を受信するように結合されたユーザー駆動可能なセレクタにして、第１状態において前記発信元に依存するパケット・データを受信するための登録を、前記移動受信局に初めに行わせるよう動作可能な該セレクタ（１４６）と、
を含むことを特徴とする移動受信局。
【請求項１８】
請求項１７に記載の移動受信局において、前記発信元に依存するパケットデータをリジェクトするために、前記セレクタが前記移動受信局を第２状態に置いたり、保持することを含む移動受信局。
【請求項１９】
請求項１７に記載の移動受信局において、前記ＳＭＳメッセージは前記ショート・メッセージ・チャネルを通して受信されることを含む移動受信局。
【請求項２０】
請求項１７に記載の移動受信局において、前記パケット・データは前記パケット・チャネルを通して受信されることを含む移動受信局。
【請求項２１】
請求項１７に記載の移動受信局において、
前記移動受信局は前記無線インタフェースを介するデータ送信のための送受信機を備え、前記移動受信局が前記第１状態に入ると、該送受信機がパケットデータ受信を登録することを特徴とする移動受信局。
【請求項２２】
請求項１７に記載の移動受信局において、前記セレクタがユーザーによって動作可能なことを特徴とする移動受信局。
【発明の詳細な説明】
【０００１】
本発明は、パケット・データ通信とＳＭＳ（ショート・メッセージ・サービス）の両方を提供するセルラ通信システムのような、無線通信システムでのパケット・データの送信に一般的に関係する。特に、本発明は無線通信システムで動作可能な移動端末へパケット・データの送信を選択的に許可する方法と関連装置に関係する。
【０００２】
（関連技術の説明）
パケット・データのそこへの送信毎に移動端末に課金が発生する。本発明の実施例の動作時には、移動端末の許可時にのみパケット・データが移動端末へ送信される。パケット・データのそこへの送信許可を拒否することにより不要な、又は要求していないパケット・データは移動端末で選択的に防止される。
【０００３】
移動端末が送信を許可した場合にのみパケット・データは移動端末に送信される。ＳＭＳメッセージが最初に移動端末に送信される。ＳＭＳメッセージは移動端末にデータのパケットの発信者の識別名を与える。データのパケットの発信者の識別名を与えられると、移動端末のユーザーはパケットの送信を受入れるかどうかを選択する。送信を受入れないよう選択が行なわれると、データのパケットは送信されない。移動端末によりそこへの送信が許可されたパケット・データ送信のみが無線エアー・インターフェースを通して移動端末に送信される。これにより、移動端末のユーザーはデータのどのパケットを移動端末に送信するかを制御可能である。移動端末へのデータのパケットの送信に関係するコストも従って制御可能となる。
【０００４】
（発明の背景）
通信技術の進歩は、送受信局間のデータの通信の性能とコストの両面で著しい改良を可能とした。例えば、無線通信分野での進歩は、改良されたかつ新規の型式の無線通信システムの広範囲の利用の導入を可能とした。
【０００５】
例えば、ディジタル通信技術は各種の無線通信システムに実装されている。このような実装は、同時に、前記通信システムの通信容量の幾重もの増加を可能とする。セルラ通信システムはディジタル通信技術が広範囲に実装されている無線通信システムの例である。例えば、ディジタル通信技術を利用すると、単一搬送波を使用して１つ以上のチャネルを形成可能である。ディジタル通信技術を実装したセルラ通信システムの通信容量は、それ故システムの通信容量の幾重もの増加を可能とする。
【０００６】
通信技術の進歩はまたコンピュータ・システムの脱中央化も容易にする。コンピュータ・システムはますます、別の場所に分散され互いにネットワーク接続により接続される脱中央化した、処理装置から形成される。インターネットのようなＩＰ（インテリジェント周辺装置（intelligent peripheral））ネットワークは前記のネットワーク接続された分散処理装置から形成される。「ホスト装置」又は「ホスト」とも時折呼ばれる送受信局は、通信チャネルをその間で形成するパケット・チャネルがパケットを通信するのに利用可能である時、データのパケットを送受信する。パケット・チャネルは多数のユーザー間で共有され、チャネルがそれを実行するのに利用可能となった時にデータの特定のパケットを送信するのに使用される。分散した処理装置間のデータのパケットの通信が、共有の、パケット・チャネル上でコスト的に有利な方法で前記分散装置間の情報の通信を可能とする。
【０００７】
技術の併合が、ＩＰホスト装置が無線リンクを介して結合され、従来の有線ネットワークに結合されたホスト装置とのインターネット、又はその他のパケット・データ通信を可能とする無線通信システムの実装を可能とした。たとえば、携帯コンピュータのような端末装置は、無線リンクを介して無線通信システムのネットワーク・インフラストラクチャーと結合可能であり、さらに、ネットワーク接続を介してインターネット接続のホスト装置に結合可能である。端末装置はインターネット接続のホスト装置への無線ホストを形成する。配線接続のような物理的なリンクは無線ホスト装置とは形成されない。その代わり、パケット・チャネルが無線リンク上に定義されて無線ホスト装置とのデータのパケットの通信を可能とする。
【０００８】
パケット交換通信は何人かの移動ユーザーが利用可能なチャネル容量を共有することを有利に可能とする。共有の、パケット・チャネル上のパケット・データ通信による通信の実行は、それ故従来の回線交換通信チャネルに頼るものより通信するものにコストがかからない。回線交換通信チャネル上の通信では、チャネルは単一の送／受信局対間の通信に専用に割当てられる。又、パケット交換通信は、離散的なバーストで送信可能な「バースト的な」性質のものであるデータの通信に特に適している。
【０００９】
ＧＳＭ（移動通信用汎用システム（general system for mobile communications））システムのＧＰＲＳ（一般パケット・データ・サービス（generic packet data service））や日本のＰＤＣ（個人ディジタル・セルラ（personal digital cellular））ネットワークのＰＰＤＣ（パケットＰＤＣ）のように、いくつかのセルラ通信システムでパケット・データの通信用の基準と割当てチャネルが記載されている。
【００１０】
前記セルラ通信システムは又ＳＭＳ（ショート・メッセージ・サービス）通信も可能としている。ＳＭＳ通信は、制御信号用に使用される制御チャネル上で実行される。移動端末へ通信されるＳＭＳメッセージは、それ故移動端末へメッセージを通信する方法の中で最小帯域幅のコスト方法である。
【００１１】
前記システムで動作可能な移動端末はサービス配信に準じて動作する。移動端末との通信はサービス配信で課金される。課金は、移動端末との各パケット交換又は回線交換通信のサービス配信で通常生じる。すなわち、サービス配信に対して、通常移動端末のユーザーである加入者は、移動端末が通信を送受信するために利用する度の料金を支払わなければならない。前記課金は回線交換通信と共にパケット交換通信の両方に発生する。ＳＭＳメッセージは信号化チャネル上で送信されるため、このようなメッセージの通信の課金は通常別々に明細化されない。
【００１２】
パケット・データ通信の一方向性特性のため、要求していないデータのパケットが移動端末に送信される可能性がある。課金が移動端末への各通信に生じるため、要求していない、又は不要なデータのパケットの移動端末への送信に対してもサービス配信が課金される可能性がある。
【００１３】
移動端末のユーザーの許可無しに移動端末へデータのパケットの送信を防止する、又はフィルタする方法は、移動端末への不要なデータのパケットの送信に対する課金の発生を防止する。
【００１４】
本発明の著しい改良が考案されたのは、パケット・データ通信システムに関係するこの背景情報の観点からである。
【００１５】
（発明の要約）
従って、本発明は、無線通信システムで動作可能な移動端末へパケット・データの送信を選択的に許可する方法と関連装置を有利に提供する。移動端末には、移動端末を終点とする意図のパケット・データの発信者の表示が与えられる。パケット・データの発信者の表示に応答して、移動端末へパケット・データの送信を許可するかどうかの選択が移動端末で行なわれる。移動端末のユーザーは従って移動端末へのパケット・データの送信を許可可能である。望まない広告物のパケット・データを多分指示する未知発信源で発信されたパケット・データは、移動端末へ送信されることを防止される。課金は移動端末へのパケット・データの各送信毎に移動端末に発生するため、移動端末のユーザーは不要な又は要求していないパケット・データ送信に対する課金が発生することを防止可能である。
【００１６】
本発明の１面では、無線通信システムはＧＳＭ（移動通信用汎用システム）又はＰＤＣ通信システムのような、セルラ通信システムを含む。このようなシステムでは、回線交換データの送信に加えて、パケット・データ通信とＳＭＳ（ショート・メッセージ・サービス）メッセージの設備も設けられる。発信源から発信されたパケット・データが移動端末を終点としている時、終点の移動端末が動作しているＰＬＭＮ（公衆陸地移動ネットワーク（public land mobile network））のネットワーク・インフラストラクチャへ、インターネット・バックボーンを経由するようにしてパケット・データが転送される。パケット・データの発信者は、パケット・データのヘッダ情報の解析等により、決定される。移動端末を終点とするデータのパケットの発信者を識別するＳＭＳメッセージが形成される。ＳＭＳメッセージは従来の方法、例えばディジタル信号化チャネル上で移動端末に送信される。ＳＭＳメッセージは移動端末で表示され、これにより発信源により発信されたデータのパケットが移動端末を終点としていることを移動端末のユーザーに知らせる。それ以後、移動端末のユーザーはデータのパケットの送信を受入れるかどうかを選択可能である。送信を受入れない選択が行なわれた場合、データのパケットは送信されない。肯定選択が行なわれて、以後ＰＬＭＮインフラストラクチャに戻され、データのパケットの送信が許可された場合のみ、その後に移動端末へのパケット・チャネルが確立する。
【００１７】
これにより、移動端末のユーザーは移動端末へのデータのパケットの送信を制御可能である。移動端末へのデータのパケットの送信に関係するコストもそれ故移動端末のユーザーに制御される。不要な又は要求していないパケット・データの受信に対する課金もそれ故避けられる。
【００１８】
本発明の別な面では、ＰＬＭＮで動作する移動端末を終点とするパケット・データはＧＰＭＳＣ（ゲートウェイ・パケット移動交換センタ）で受信される。ＧＰＭＳＣは、ＰＬＭＮで動作可能な移動端末を識別する移動一連番号へデータのパケットのヘッダ情報の一部を形成する終点ＩＰアドレスを翻訳するよう特に動作可能である。ＭＳＮがＩＰアドレスに対してインデックス付けされている場合、ＧＰＭＳＣはＭＳＮにより識別される移動端末の登録位置を探索するようさらに動作する。
【００１９】
本発明の別な側面では、移動端末は、その移動端末を終点とするパケット・データを発生する発信源の識別名を表示するＳＭＳメッセージを受取るように動作可能である。移動端末は、発信源の識別名を表示する表示要素と、移動端末のユーザーにより駆動可能で、ＰＬＭＮのインフラストラクチャに返信信号を発生するアクチュエータとを含む。返信信号は移動端末へのパケット・データの送信許可を認可する。
【００２０】
それ故、これらの及びその他の特徴において、本方法と関係装置は、無線通信システムの移動受信局へのパケット・データの送信を選択的に許可する。移動受信局は無線インターフェースを経由して無線通信システムのネットワーク・インフラストラクチャに結合される。送信局はネットワーク・インフラストラクチャに結合され、無線インターフェースはショート・メッセージ・チャネルとパケット・チャネルを含む。送信局により発信されたパケット・データはネットワーク・インフラストラクチャで検出される。パケット・データを発信する送信局の識別名はネットワーク・インフラストラクチャで決定される。ショート・メッセージ・チャネルを経由して、送信局の識別名の表示が移動受信局へ送信される。移動受信局はショート・メッセージ・チャネルを経由して送信された送信局の識別名の表示を検出する。移動受信局で検出した送信局の識別名の表示に応答して、送信局により発信されたパケット・データの送信を受入れるかどうかの選択が移動受信局で行われる。移動受信局でパケット・データの送信を受入れる選択が行われた場合、パケット・チャネルを経由して移動受信局にパケット・データが送信される。
【００２１】
本発明のより完全な認識とその範囲は、以下に簡単に要約した添付図面、本発明の望ましい実施例の以下の詳細な説明、及び添付の請求の範囲から得ることが可能である。
【００２２】
（詳細な説明）
まず図１を参照すると、全体を１０で図示する通信システムは、移動端末１４へ通信されるべきインターネット・ホスト１２により発生されたパケット・データの通信を許可する。移動端末は、移動端末１４とＰＬＭＮ（公衆陸地移動ネットワーク）１８との間に延びる、破線で示した、ここでは線路１６により識別される無線リンクを介して結合される。
【００２３】
ＰＬＭＮ１８はまた、インターネット・ホスト１２が結合されているインターネット・バックボーン２２を介して結合される。
【００２４】
図示実施例では、移動端末１４は無線ホスト２４と無線送受信器２６とを含む。無線ホスト２４は、例えば有線接続又は赤外線接続により無線送受信器２６に結合される。無線送受信器は、ＲＣＲ２７−ＳＴＤ（ＰＤＣシステム用エアーインターフェース規格）、ＥＩＡ／ＴＩＡ  ＩＳ−５４、又はＩＳ−１３６規格のような無線エアーインターフェース規格に準じて動作するよう構成される。その他の実施例では、無線ホスト２４と無線送受信器２６は単一の装置を形成する。
【００２５】
ＰＬＭＮ１８は、上述した無線エアーインターフェース規格のような、選択したエアーインターフェース規格の動作必要条件に従うよう対応して構成される。
【００２６】
ＰＬＭＮ１８は本明細書では無線基地局３２を含むのが示されている。基地局３２は無線基地局１４の無線送受信器２６との通信信号の送受信を可能とする送受信器回路を含む。基地局３２と無線送受信器２６は回線交換データとパケット交換データの両方を通信可能である。基地局はＭＳＣ（移動交換センタ）３４、本明細書ではＶＭＳＣ（訪問移動交換センタ）に結合される。本明細書のＶＭＳＣ３４はまた、他のＭＳＣ、本明細書ではＧＭＳＣ（ゲートウェイ移動交換センタ）３６に結合されているのが示される。
【００２７】
ＨＬＲ（ホーム位置レジスタ（home location register））がさらにＶＭＳＣ３４に結合される。ＨＬＲ４２はＶＭＳＣ３４から機能的に分離しているものとして図示されているが、ＨＬＲ４２はＶＭＳＣ３４と物理的に共存してもよい。
【００２８】
同様に、基地局３２はＰＭＳＣ（パケット移動交換センタ）、本明細書ではＶＰＭＳＣ（訪問位置パケット移動交換センタ）４４にさらに結合される。ＶＰＭＳＣ４４はさらに、他のＰＭＳＣ、本明細書ではＧＰＭＳＣ（ゲートウェイ・パケット交換センタ）４６に結合される。そして、ＶＰＭＳＣ４４はさらにＨＬＲ４２に結合される。
【００２９】
分離して図示してはいないが、ＨＬＲ４２はさらに、その他のネットワーク・ノード、すなわちＧＭＳＣ３６やＧＰＭＳＣ４６のような他のＭＳＣとＰＭＳＣにさらに結合される。それ故、ＨＬＲに記憶された情報はこのようなその他のネットワーク・ノードにより同様にアクセス可能である。
【００３０】
ＧＰＭＳＣ４６は、インターネット・バックボーン５２に結合されているＮＩＭ５２にさらに結合される。インターネット・ホスト１２により発生されたパケット・データはインターネット・バックボーン２２を通してルートされ、ＧＰＭＳＣ４６に渡される。
【００３１】
ＰＬＭＮはさらにＳＭＳ−Ｃ（ショート・メッセージ・サービスセンタ）５６を含む。ＳＭＳ−ＣはＳＭＳ（ショート・メッセージ・サービス）メッセージを発信するよう動作する。ＳＭＳ−Ｃ５６はＶＰＭＳＣ４２とＧＭＳＣ３６の両方に機能的に結合されている。
【００３２】
本発明の実施例の動作時には、無線局１４を終点とするインターネット・ホスト１２で発信されたパケット・データは、無線局の許可によってのみ無線局１４を終点とする無線エアーインターフェースを通して送信される。要求していない、又は不要なデータのパケットは、ＰＬＭＮ１８により無線局に送信される許可を無線局１４により拒絶可能である。発信源を識別するＳＭＳメッセージ、すなわちインターネット・ホスト１２の識別名はＳＭＳ−Ｃ５６により最初に発生されて無線局１４へ従来の方法で制御チャネルを通して送信される。ＳＭＳメッセージの無線局での受信に応答して、そこへのパケット・データの送信を許可するかどうかに関する決定が行われる。ＰＬＭＮ１８に移動局へパケット・データを送信する許可が認可された場合、移動端末はパケット・データを受信するよう登録する。
【００３３】
通信システム１０は、無線局、本明細書では無線局１４に無線リンクを通してＰＰＤＣ（パケットＰＤＣ）データ通信を与えるＰＤＣ（個人ディジタル・セルラ）通信システムの例である。例えば、インターネット・ホスト１２と移動端末との間のパケット通信の移動制御は、移動端末１４の無線送受信器２６のＭＳＮ（移動一連番号）を利用するネットワーク・インターフェース層で実行される。位置登録やチャネル・ハンドオーバーのような移動管理機能は、回線交換通信で対応する機能が実行される方法と同様の方法で実行される。
【００３４】
インターネット・ホスト１２により発信されたパケット・データは、パケット・データをルートすべき無線ホスト２４を識別するヘッダ情報をヘッダに有する。従来、インターネット・ホスト１２により発信されたデータのパケットはインターネット・バックボーン２２を通してＧＰＭＳＣ４６にルートされる。ＧＰＭＳＣ４６は、無線ホスト２４が結合される無線送受信器２６と関係するＭＳＮへパケット・データのヘッダ情報で識別されるデスティネーションＩＰアドレスを翻訳する。
【００３５】
ＩＰアドレスに対応するＭＳＮがある場合、ＧＰＭＳＣ４６は局所ＨＬＲキャッシュで無線送受信器２６の位置を探索する。ここで発見できない場合、ＨＬＲ４２に位置、例えば無線送受信器２６を登録しているセル又はそれに関係している基地局を探すべき位置の問合せが行われる。例示の図では、移動端末が位置していると登録されている区域はＶＰＭＳＣ４４によりサービスされる。サービスするＶＰＭＳＣ４４は例えばＶＰＭＳＣ区域識別子（ＰＡＩ）により識別される。
【００３６】
また、従来、パケット・データは例えばＰＭＡＰプロトコルでカプセル化され、ＧＰＭＳＣ４６からアドレスされた移動端末３６にサービスするＶＰＭＳＣ４４に転送される。サービスするＶＰＭＳＣはパケット・データのカプセル化を解き、無線リンク１６を通して基地局３２を経由して無線送受信器２６へカプセル化を解いたパケット・データを転送する。
【００３７】
無線送受信器２６がパケット状態にある場合、パケットは無線送受信器２６に対して登録されているユーザー・パケット・チャネル（ＵＰＣＨ）上で送信される。逆に、無線送受信器２６が待機状態にある場合、無線送受信器２６をサービスするＶＭＳＣ３４にパケット・ページング・メッセージが転送される。そして、無線送受信器２６はページング・チャネル上にページされる。
【００３８】
無線送受信器２６がページされた場合、ページがページング・チャネル（ＰＣＨ）上で送信され、ページの受信後に、無線送受信器２６は利用可能なＵＰＣＨ上でＶＰＭＳＣ４４によるパケット通信登録を実行する。無線送受信器が成功裏に登録されると、無線送受信器はパケット状態に入り、パケット・データがＶＰＭＳＣ４４から基地局３２へ、無線リンク１６を通して登録用に無線送受信器２６により使用された同じＵＰＣＨ上で転送される。
【００３９】
無線送受信器２６がインターネット・ホスト１２を終点とするデータを送信する時、ＶＰＭＳＣ４４がデータを受信する。データはカプセル化され、適当なＧＰＭＳＣ、ここではＧＰＭＳＣ４６に転送される。ＧＰＭＳＣ４６は受信したパケット・データのカプセル化を解き、パケット・データを外部ネットワーク、ここではインターネット・バックボーン２２に転送する。
【００４０】
本発明の実施例は、パケット・データのそこへの送信を許可するかどうかに関する選択を無線局１４で行うことを可能とする。例えば、移動局２６が待機状態にある場合、パケット状態に入らず、そこへのパケット・データの送信を許可しないという決定を行うことが可能である。
【００４１】
図2は本発明の実施例の動作時の信号発生のシーケンスを図示する、全体を８２で示すシーケンス図である。図１に示した通信システム１０の一部を形成するインターネット・ホスト１２により発生されたパケット・データは、通信システムの移動端末１４へ選択的にルートされる。
【００４２】
最初に、シーケンス部分８６により指示するように、インターネット・ホスト１２で発信されたパケット・データはインターネット・バックボーン２２を経由してルートされ、ＧＰＭＳＣ４６で受信される。パケット・データは移動端末１４の無線ホスト２４と関係するＩＰアドレスを指示するヘッダ情報を含む。ＧＰＭＳＣは無線ホスト２４と関係するＩＰアドレスをそれと関係する無線送受信器２６と関係するＭＳＮに翻訳する。最初に局所ＨＬＲキャッシュに問合せすることにより、移動端末の位置が決定される。局所ＨＬＲキャッシュに問合せすることにより無線送受信器２６の位置が決定不能である場合、シーケンス部分８８に示すように、ＨＬＲ４２に問合せして無線送受信器の位置を決定する。シーケンス部分９２により示すように、ＨＬＲに記憶された登録位置がＧＰＭＳＣに与えられる。
【００４３】
ＧＰＭＳＣ４６によりパケット・データは、例えばＰＭＡＰプロトコルでカプセル化される。そして、シーケンス部分９４により示すように、ＧＰＭＳＣ４６によりカプセル化データがＶＰＭＳＣ４４へ転送される。ＶＰＭＳＣ４４はアドレスされた移動端末にサービスするＰＭＳＣである。
【００４４】
アクティビティ・ブロック９８により示すように、ＶＰＭＳＣ４４で受信したカプセル化データはカプセル化を解かれる。パケット・データのヘッダ情報に含まれる無線ホスト２４のＩＰアドレスが調査される。ＶＰＭＳＣは、例えば、ＤＮＳ（ドメイン名探索）を実行してソースＩＰアドレスを検索し、ホスト名を得てパケット・データ送信を意図しているサービス型式、例えばＦＴＰ、テルネット等を確認する。調査に応答して、ＩＰアドレス、ホスト名、及びサービス型式を含むパケット・データが、シーケンス部分１０２に示すように、ＳＭＳ−Ｃ５６に転送される。従来の型式の通信方式、例えばX.25通信を使用して情報は転送される。
【００４５】
シーケンス部分１０４に示すように、従来のショート・メッセージ処理に対応する方法でＳＭＳ−ＣはさらにＧＭＳＣ３６へＳＭＳメッセージを発行する。
【００４６】
シーケンス部分１０６に示すように、ＧＭＳＣ３６はさらに無線送受信器２６の位置のＨＬＲ４２を問合せる。そして、シーケンス部分１０８により示すようにＧＭＳＣ３６へ前記情報が与えられる。ＳＭＳメッセージは、シーケンス部分１１２と１１４により示すように、ＧＭＳＣ３６によりＶＭＳＣ３４を介して無線リンク１６を通して移動端末１４へそれ以後ルートされる。
【００４７】
移動端末１４の無線送受信器２６がそこに転送されたＳＭＳメッセージを受信すると、シーケンス部分１１６、１１８及び１２２により示すように、ＶＭＳＣ３４とＧＭＳＣ３６とを経由してＳＭＳメッセージの受信の確認が返信される。
【００４８】
アクティビティ・ブロック１２４により示すように、ＳＭＳメッセージで識別されるようなインターネット・ホスト１２により発信されたパケット・データの移動端末への送信を許可するかどうかの決定も移動端末１４で行われる。パケット・データの送信を許可する決定が行われると、パケット通信登録処理に準じて、無線送受信器が登録を開始してパケット状態に入るシーケンス部分１２８により示す、前記許可の指示が移動端末により与えられる。以後、パケット・データが移動端末１４にルートされる。
【００４９】
図３は、通信システム１０で動作可能な図１で以前に示した移動端末１４の部分を図示する。移動端末１４は、特に移動端末１４へのＳＭＳメッセージを受信する受信器回路１４２を含む。受信器回路１４２は図１に示した無線送受信器２６の回路の一部を表す。
【００５０】
移動端末１４はさらに表示要素１４４とセレクタ１４６を含む。表示要素とセレクタ１４６の両方が受信器回路１４２に結合される。１実施例では、表示要素１４４とセレクタ１４６は無線送受信器２６の一部を形成し、例えば移動端末の表示要素とその駆動キーパッドを各々形成する。他の実施例では、表示要素１４４とセレクタ１４６は無線ホスト２４の一部、例えば無線ホストのビデオ表示モニタと駆動キーパッドを各々形成する。
【００５１】
パケット・データの発信者を示すＳＭＳメッセージを受信器回路１４２で受信すると、前記識別名が表示要素１４４上に表示される。表示された情報に応答して、移動端末のユーザーは、移動端末へのパケット・データの送信を許可するかどうかを決定する。パケット・データを受信する許可の選択はセレクタ１４６を経由して入力される。移動端末１４へパケット・データを送信する許可が認可されると、移動端末１４はパケット・データを受信するよう登録する。これ以後、パケット・データは移動端末にルートされる。
【００５２】
図４は本発明の実施例の全体を１６２で示す方法を図示する。本方法は移動受信局へのパケット・データの送信を選択的に許可する。移動受信局は無線インターフェースを介してネットワーク・インフラストラクチャに結合される。そしてパケット・データを発信する送信局はネットワーク・インフラストラクチャに結合される。
【００５３】
まず、ブロック１６４に示すように、送信局により発信されたパケット・データはネットワーク・インフラストラクチャで検出される。次いで、ブロック１６６により示すように、パケット・データを発信する送信局の識別名が決定される。送信局の識別名を表示するＳＭＳメッセージが形成される。ブロック１６８により示すように、移動受信局へＳＭＳメッセージが送信される。
【００５４】
ブロック１７２により示すように、ＳＭＳメッセージが移動受信局で検出される。次いでブロック１７４により示すように、送信局により発信されたパケット・データの送信を受入れるかどうかの選択が行われる。そして、移動受信局で送信が受入れられる場合、ブロック１７６により示す、パケット・データが移動受信局に送信される。
【００５５】
これにより、移動端末の許可によってのみパケット・データは移動端末に送信される。パケット・データを送信する許可を拒否することにより、不要な又は要求していないパケット・データの送信は移動端末で選択的に防止される。従って、移動端末のユーザーは、移動端末へデータのどのパケットを送信するかを制御可能である。移動端末へのデータのパケットの送信に関係するコストも従って制御可能である。
【００５６】
以上の説明は本発明を実装する望ましい実施例のものであり、本発明の範囲は本説明によって必ずしも限定されるべきのものではない。本発明の範囲は以下の請求の範囲により定義される。
【図面の簡単な説明】
【図１】  本発明の実施例が動作可能である通信システム。
【図２】  本発明の実施例の動作時に発生された信号の信号路を列挙するシーケンス図。
【図３】  図１に示した通信システムの一部を形成する無線局の機能ブロック図。
【図４】  本発明の実施例の方法動作を列挙する方法流れ図。
【図１】
0004128739.tif 000002
【図２】
0004128739.tif 000003
【図３】
0004128739.tif 000004
【図４】
0004128739.tif 000005